(57)【要約】      （修正有）【課題】一ストロークによって一定量の内容物を確実に排出できるディスペンサー。【解決手段】容器の口部に固定保持されるベースキャップ１と、このベースキャップ１の下面に垂下され容器内の内容物を吸引、加圧、圧送するポンプ２と、ベースキャップ１の上面での上下のストロークにて該ポンプ２を作動させて容器内の内容物を噴出させるノズルヘッド３を備えたディスペンサーにおいて、ノズルヘッド３を貫通、露出させる開口を有しベースキャップ１を取り囲んでそれに固定保持されるカバー体４と、一端をカバー体４に連係させる一方、他端をノズルヘッド３に連係させて該ノズルヘッド３をポンプ側に向けて押し下げ又は引き下げてその姿勢を維持する弾性部材５と、該弾性部材５の付勢力にて下方にストロークさせる係止片６を設ける。【選択図】図２
2007144260.tif 000002
【特許請求の範囲】
【請求項１】
容器の口部に固定保持されるベースキャップと、このベースキャップの下面に垂下され容器内の内容物を吸引、加圧、圧送するポンプと、ベースキャップの天面部における上下動にて該ポンプを作動させて容器内の内容物を噴出させるノズルヘッドを備えたディスペンサーであって、
前記ベースキャップに、ノズルヘッドを貫通、露出させる開口を有しベースキャップを取り囲むカバー体を設け、
このカバー体とノズルヘッドとによって区画される内部空間内に、一端をカバー体に連係させ、他端をノズルヘッドに連係させて該ノズルヘッドをポンプ側の最下端に押し下げ又は引き下げてその姿勢を維持する弾性部材を配置し、
前記ノズルヘッドに、該弾性部材の付勢力に抗するノズルヘッドの引き上げにてカバー体の開口縁部に連係させて該ノズルヘッドの引き上げ姿勢を維持し、それ自体の弾性変位により該連係を解除してノズルヘッドをポンプ側の最下端へ押し下げ又は引き下げ可能とする係止片を設けたことを特徴とするディスペンサー。
【発明の詳細な説明】
【技術分野】
【０００１】
本発明は、容器内の内容物を適量取り出すのに好適なディスペンサーに関するものであり、ノズルヘッドの一回の排出操作によって一定量の内容物を確実に排出しようとするものである。
【背景技術】
【０００２】
シャンプーやリンス、化粧水あるいは液体石鹸等を入れた容器では、ノズルヘッドを操作するのみで内容物を適量取り出すことができるようにディスペンサーを備えたものが多数存在している（例えば、特許文献１参照）。
【特許文献１】実公平7−13816号公報
【０００３】
係るディスペンサーは、ポンプ機構を組み込んだ構造が普通であり、ノズルヘッドを押圧してポンプ機構のピストンを一ストロークさせれば確実に一定量の内容物を排出することができるので、容量が定められた医薬品や化粧料等のような内容物を取り出すには極めて有効な手段であると言えた。
【０００４】
ところで、実際の使用形態としては目分量で内容物を排出し、ノズルヘッドの押圧を途中で止めてしまうことがしばしば見られ、この点に関して改善の余地が残されていた。
【発明の開示】
【発明が解決しようとする課題】
【０００５】
本発明の課題は、需要者の意志に係わりなく一回の操作で一定量の内容物を確実に取り出すことができる新規なディスペンサーを提案するところにある。
【課題を解決するための手段】
【０００６】
本発明は、容器の口部に固定保持されるベースキャップと、このベースキャップの下面に垂下され容器内の内容物を吸引、加圧、圧送するポンプと、ベースキャップの上面での上下のストロークにて該ポンプを作動させて容器内の内容物を噴出させるノズルヘッドを備えたディスペンサーであって、
前記ベースキャップに、ノズルヘッドを貫通、露出させる開口を有しベースキャップを取り囲むカバー体を設け、
このカバー体とノズルヘッドとによって区画される内部空間内に、一端をカバー体に連係させ、他端をノズルヘッドに連係させて該ノズルヘッドをポンプ側の最下端に押し下げ又は引き下げてその姿勢を維持する弾性部材を配置し、
前記ノズルヘッドに、該弾性部材の付勢力に抗するノズルヘッドの引き上げにてカバー体の開口縁部に連係させて該ノズルヘッドの引き上げ姿勢を維持し、それ自体の弾性変位により該連係を解除してノズルヘッドをポンプ側の最下端へ押し下げ又は引き下げ可能とする係止片を設けたことを特徴とするディスペンサーである。
【発明の効果】
【０００７】
ノズルヘッドは、弾性部材により常にポンプ側の最下端に位置しており、内容物の排出時には、該ノズルヘッドを弾性部材の付勢力に抗して強制的に上方へ引き上げ、カバー体に係止片を連係させた後、該係止片によるロック状態を解除するのみで弾性部材の付勢力でもって該ノズルヘッドが下方に移動することになるので、手で押圧することなしに一定量の内容物が確実に排出することができる。
【発明を実施するための最良の形態】
【０００８】
以下、図面を用いて本発明をより具体的に説明する。
図１は本発明に従うディスペンサーの外観斜視図であり、図２はその断面を示した図である。
【０００９】
図における１は容器の口部に固定保持されるベースキャップ（図２参照）、２はベースキャップ１の下面に垂下され容器内の内容物を吸引、加圧、圧送するポンプ、３はベースキャップ１の上面での上下動にて該ポンプ２を作動させて容器内の内容物を噴出させるノズルヘッドである。
【００１０】
ポンプ２は、容器内の内容物を吸引する吸引管Ｋに連結する開口ｈを有するシリンダー2aと、ノズルヘッド３のステム3aの内側でそれに一体に連結するガイド2bと、このガイド2b及びステム3aの相互間にスライド代をもって配置され、該ガイド2b、ステム3aとともにシリンダー2a内で往復移動し、かつ、該ガイド2bと協働して吐出弁として機能するピストン2cと、シリンダー2a内で該開口ｈの開閉を行うポペット2dからなる。
【００１１】
また、４はノズルヘッド３を貫通、露出させる開口h１を有し、ベースキャップ１を取り囲んでそれに固定保持されるカバー体、５はカバー体４とノズルヘッド３とによって区画される内部空間内に配置される弾性部材である。この弾性部材５は一端がカバー体４に連係しており、他端がノズルヘッド３の座部3bに連係しており、該ノズルヘッド３をポンプ２側に押し下げてその姿勢を維持するようになっている。
【００１２】
また、６はノズルヘッド３の頂部から背面にかけて付設された弾性変位可能な係止片であり、この係止片６は断面逆Ｌ形を呈し、その基部がノズルヘッド３の頂部に枢着され、他端が自由端になっている。係止片６の自由端は弾性変形可能にノズルヘッド３に対し配設されている（図１参照）。さらに、係止片６の自由端の外側面には、カバー体４の開口縁部に乗り上げ、連係するための小突出部6aが形成されている。この係止片６は前記構成を有することにより、図３に示すように弾性部材５の付勢力に抗するノズルヘッド３の引き上げ状態でカバー体４の開口縁部に連係して該ノズルヘッド３の引き上げ姿勢を維持するが、連係の解除（指などによって係止片６を押し込む）によって図４に示す如くノズルヘッド３を弾性部材５の付勢力にて下方へストロークさせることができるようになっている。
【００１３】
上記の構成になるディスペンサーは、ノズルヘッド３が最も下方に位置する図２に示すような状態から図３に示す状態に引き上げたとき、ポンプ２のシリンダー2a内に容器内の内容物が吸引され、ノズルヘッド３が下方へ向けてストロークする図４に示す状態においてシリンダー2a内の内容物が加圧、圧送されて該シリンダー2a内の一定量の内容物がノズルヘッド３の噴出口から排出される。
【００１４】
係止片６は図示の例では、断面Ｌ形としてその先端をカバー体４の開口縁部に連係させるようにしたが、例えば、係止片の自由端方向に凹部（又は開口）を形成し、カバー体４の開口縁部に該凹部に係合する突起を形成するなど、ノズルヘッド３の引き上げ姿勢を確実に維持でき、かつ簡単に連係を解除できるものであれば、図示のものには限定されない。
また、係止片６の固定方法は、前述の如くノズルヘッド３に対し枢着固定されるものに限らず、その固定方法は適宜選択が可能であり、さらにはノズルヘッド３と係止片６とを一体に形成することも可能である。
【００１５】
図５は本発明に従うディスペンサーの他の実施の形態を示した図である。この例は、弾性部材５にノズルヘッド３を引き下げる付勢力を与えた構造のもので、弾性部材５の一端をカバー体４とベースキャップ１とで挟持するように固定し、他端をノズルヘッド３の座部3bに連係させるように構成している。この構成において、該ノズルヘッド３の引き上げた状態では該弾性部材５が図６に示すように伸張された状態にあるが、図２に示したような弾性部材５を使用するか図５に示したような弾性部材５を使用するかは任意に選択される。
【産業上の利用可能性】
【００１６】
一定量の内容物を確実に噴出させることができるディスペンサーが提供できる。
【図面の簡単な説明】
【００１７】
【図１】本発明に従うディスペンサーの外観斜視図である。
【図２】図１に示したディスペンサーの断面図である。
【図３】図１に示したディスペンサーの使用状態の説明図である。
【図４】図１に示したディスペンサーの使用状態の説明図である。
【図５】本発明に従うディスペンサーの他の実施の形態を示した図である。
【図６】図５に示したディスペンサーのノズルヘッドを引き上げた状態を示した図である。
【符号の説明】
【００１８】
１  ベースキャップ
２  ポンプ
2a  シリンダー
2b  ガイド
2c  ピストン
３  ノズルヘッド
3a  ステム
3b  座部
４  カバー体
５  弾性部材
６  係止片
6a  小突出部
ｈ  開口
h１  開口
【図１】
2007144260.tif 000003
【図２】
2007144260.tif 000004
【図３】
2007144260.tif 000005
【図４】
2007144260.tif 000006
【図５】
2007144260.tif 000007
【図６】
2007144260.tif 000008